(57)【要約】【課題】感温インジケータ自体の温度の温度管理を容易になすことができると共に、感温インジケータを動作させる際、指の温度の影響を受けることのない感温インジケータを提供する。【解決手段】基体２と、前記基体２に載置された感熱材が充填されたカプセル３と、前記カプセル３の上部に載置された吸収部材４と、前記カプセルと吸収部材とを少なくとも覆うカバー６Ａ，６Ｂと、前記基体２とカバー６Ａ，６Ｂが挿通する隙間が形成されたカプセル破壊手段７とを備え、前記基体２、カバー６Ａ，６Ｂを前記カプセル破壊手段７の隙間を介して引抜くことにより、前記カプセル破壊手段７によってカプセル３が破壊される。【選択図】図１
2008170202.tif 000002
【特許請求の範囲】
【請求項１】
基体と、前記基体に載置された感熱材が充填されたカプセルと、前記カプセルの上部に載置された吸収部材と、前記カプセルと吸収部材とを少なくとも覆うカバーと、少なくとも基体とカプセルと吸収部材が挿通する隙間が形成されたカプセル破壊手段とを備え、
前記基体、カプセル、吸収部材を前記カプセル破壊手段の隙間を介して引抜くことにより、前記カプセル破壊手段によってカプセルが破壊されることを特徴とする感温インジケータ。
【請求項２】
基体と、前記基体に載置された吸収部材と、前記吸収部材に載置された感熱材が充填されたカプセルと、前記カプセルと吸収部材とを少なくとも覆うカバーと、少なくとも基体とカプセルと吸収部材が挿通する隙間が形成されたカプセル破壊手段とを備え、
前記基体、カプセル、吸収部材を前記カプセル破壊手段の隙間を介して引抜くことにより、前記カプセル破壊手段によってカプセルが破壊されることを特徴とする感温インジケータ。
【請求項３】
前記カプセル破壊手段は、前記基体とカバーとを少なくとも保持する保持部材であって、少なくとも前記基体、カプセル、吸収部材を前記保持部材から引抜くことにより、前記保持部材によってカプセルが破壊されることを特徴とする請求項１または請求項２記載された感温インジケータ。
【請求項４】
前記カプセル破壊手段は、前記基体とカバーとを少なくとも保持する保持部材であって、かつ前記カバーは袋状に形成され、前記袋状のカバー内部に前記基体、カプセル、吸収部材が収納されると共に、前記保持部材によって少なくとも前記基体とカバーと保持し、少なくとも前記基体、カプセル、吸収部材を前記保持手段の隙間を介して引抜くことにより、前記保持手段によってカプセルが破壊されることを特徴とする請求項１または請求項２記載の感温インジケータ。
【請求項５】
前記感熱材は、所定温度以上で液相となるいわゆる着色ワックス、あるいは所定温度以下で液相となる着色されたゲルであることを特徴とする請求項１または請求項２記載の感温インジケータ。
【請求項６】
前記保持部材がケースの内部に設けられ、前記カプセル及び吸収部材がケース内に収容されると共に、前記基体及びカバーは先端部がケースの外に配された状態でケース内に収容され、
前記ケースの外に配された基体及びカバーを引き、基体及びカバーをケース外に取出すことによって、前記カプセルが破壊されることを特徴とする請求項３または請求項４に記載された感温インジケータ。
【請求項７】
前記吸収部材の下面側に凹部が形成され、前記凹部と基体との間にカプセルが収容されることを特徴とする請求項１乃至請求項６のいずれかに記載された感温インジケータ。
【請求項８】
前記基体の上面に、カプセルが収容される凹部が形成され、前記凹部の上方を吸収部材で覆うこと特徴とする請求項１乃至請求項６のいずれかに記載された感温インジケータ。
【請求項９】
前記吸収部材に表示ラベルが一体的に形成されていることを請求項１または請求項２記載の感温インジケータ。
【請求項１０】
前記カバーに表示ラベルが一体的に形成されていることを請求項６記載の感温インジケータ。
【発明の詳細な説明】
【技術分野】
【０００１】
本発明は、温度が所定温度以上あるいは所定温度以下になったことを不可逆的に示す感温インジケータに関し、特に、所定温度以上あるいは所定温度以下の環境に晒されたか否かを視認できる感温インジケータに関するものである。 
【背景技術】
【０００２】
近年、商品、製品の品質管理において、温度が管理は重要になってきている。例えば、生鮮食品、切花等の生鮮物、医薬品、半導体材料において、温度管理が十分に行なわれず所定の温度以上に晒されると、商品、製品の品質が低下し、あるいは劣化し、更には細菌が繁殖し、腐敗が生じる場合がある。
そのため、こうした商品、製品の温度管理は生産時のみならず、流通時、保管時において厳格に温度管理を行なう必要があり、その温度管理を継続的に監視していく手段のひとつとして、感温インジケータが用いられている。
【０００３】
この感温インジケータとしては、特許文献１（特公昭５８−１０７０９号公報）に示すものが提案されている。この特許文献１に示された感温インジケータについて、図３及び図４に基づいて説明する。
【０００４】
この感温インジケータ１００は、チャンネル形担持体１０２を備え、このチャンネル形担持体１０２はベース１０４と、前記ベースの両側の縁から上方に延びる側壁１０６とを有している。前記側壁１０６は、波形をしており、上側溝１０８、中央部分１１０、下側溝１１２を備えている。前記チャンネル形担持体１０２は、これらの両側壁１０６を普通の手の力で外方へ拡げられるような適当で可撓性を持つ硬質の材料で作られている。
そして、浸透材１１４がベース１０４上に置かれる。浸透材１１４は真っ直ぐまたは曲がった路と表示区域１１６を備えるようにして、吸取紙素材から形成される。
【０００５】
また、流体飽和剤を吸収した多孔性マトリックス１１８は、マトリックス保持具１２０へ取付けられる。この多孔性マトリックス１１８に吸収された流体飽和剤としては、例えば、冷凍食品の保管時の温度では固体であるが食品の解凍させる温度（例えば室温）では液体となる物質が選択される。
また、マトリックス保持具１２０は、上側保護カバー部分１２２とスロット１２６付き肉厚端部１２４を備える。そして、スロット内に多孔性マトリックス１１８が挿入され、カバー部分１２２の下面に保持される。尚、この表示装置１００は更に感圧接着層１３０と除去可能保護ライナー１３２でなる取付け手段１２８を備える。
【０００６】
この感温インジケータ１００を動作させるには、上側保護カバー１２２とチャンネル形担持体１０２を一緒に押し付けるようにする。そうすると、カバー１２２は側壁１０６を外方へ曲げて、浸透材１１４の方へ動き、前記浸透材１１４は多孔性マトリックス１１８接触する。
多孔性マトリックス１１８およびこれの上に重なっている上側保護カバー１２２は、下側溝１１２内で側壁１０６の弾性によって浸透材１１４方へ偏倚させる。こうして多孔性マトリックス１１８と浸透材１１４は側壁１０６の弾性により堅く接触状態に保持される。
【０００７】
そして、多孔性マトリックス１１８と浸透材１１４の密着しているため、所定の温度以上になると、多孔性マトリックス１１８から流体が浸透材１１４へ流入し、流体は浸透材１１４中を移行していく。流体は一般的にそれに含まれる染料により可視的に着色されているので、この感温インジケータ１００が付けられた商品、製品が所定の温度以上の環境に晒されたことを、視認、判断することができる。また、浸透材１１４が真っ直ぐまたは曲がった路と表示区域１１６を備えているため、流体の前方への進行を観察でき、所定の温度以上の環境に晒された時間も判断することができる。
【特許文献１】特公昭５８−１０７０９号公報
【発明の開示】
【発明が解決しようとする課題】
【０００８】
ところで、特許文献１に示されたような、感温インジケータにあっては、多孔性マトリックスに流体飽和剤を吸収させているため、高温の環境下で保管すると流体飽和剤が液相に変化、蒸発し、また流体飽和剤が液相に変化しないまでも、化学物質の溶液が蒸発する虞があり、感温インジケータを保管する際、感温インジケータ自体の温度の温度管理をしなければならないという問題があった。
【０００９】
また、感温インジケータを動作させるには、上側保護カバーとチャンネル形担持体を一緒に押し付ける。そのため、押し付ける際、上側保護カバーを介して流体飽和剤が指の温度を感知してしまうという問題があった。
【００１０】
本発明は前記の課題を解決するためになされたもので、感温インジケータ自体の温度の温度管理を容易になすことができると共に、感温インジケータを動作させる際、指の温度の影響を受けることのない感温インジケータを提供することを目的とするものである。
【課題を解決するための手段】
【００１１】
本発明は上記目的を達成するためになされたものであり、本発明にかかる感温インジケータは、基体と、前記基体に載置された感熱材が充填されたカプセルと、前記カプセルの上部に載置された吸収部材と、前記カプセルと吸収部材とを少なくとも覆うカバーと、前記基体とカバーが挿通する隙間が形成されたカプセル破壊手段とを備え、少なくとも前記基体、カプセル、吸収部材を前記カプセル破壊手段の隙間を介して引抜くことにより、前記カプセル破壊手段によってカプセルが破壊されることを特徴としている。
【００１２】
また、基体と、前記基体に載置された吸収部材と、前記吸収部材に載置された感熱材が充填されたカプセルと、前記カプセルと吸収部材とを少なくとも覆うカバーと、少なくとも基体とカプセルと吸収部材が挿通する隙間が形成されたカプセル破壊手段とを備え、前記基体、カプセル、吸収部材を前記カプセル破壊手段の隙間を介して引抜くことにより、前記カプセル破壊手段によってカプセルが破壊されることを特徴としている。
【００１３】
本発明にかかる感温インジケータにあっては、前記基体、カプセル、吸収部材を前記カプセル破壊手段の隙間を介して引抜くことにより、前記カプセルを破壊するため、押圧する指の温度の影響を受けることなく、カプセルを破壊することができる。また、前記基体、カプセル、吸収部材を前記カプセル破壊手段の隙間を介して引抜くことにより、前記カプセルを破壊するため、より確実に、より均一にカプセルを破壊することができる。
尚、前記カプセル破壊手段とは、前記基体、カプセル、吸収部材が挿通する隙間が形成され、基体、カバーを挿通させることによって、カプセルを破壊できるものをいう。
【００１４】
ここで、前記カプセル破壊手段は、前記基体とカバーとを少なくとも保持する保持部材であって、少なくとも前記基体、カプセル、吸収部材を前記保持部材から引抜くことにより、前記保持部材によってカプセルが破壊されることが望ましい。
【００１５】
また、前記カプセル破壊手段は、前記基体とカバーとを少なくとも保持する保持部材であって、かつ前記カバーは袋状に形成され、前記袋状のカバー内部に前記基体、カプセル、吸収部材が収納されると共に、前記保持部材によって少なくとも前記基体とカバーと保持し、少なくとも前記基体、カプセル、吸収部材を前記保持手段の隙間を介して引抜くことにより、前記保持手段によってカプセルが破壊されることが望ましい。
【００１６】
また、感熱材としては、所定温度以上で液相となるいわゆる着色ワックス、あるいは所定温度以下で液相となる着色されたゲル（アドバンスト・ソフトマテリアル社製：商品名スライドリングゲル）、また融点（凝固点）が２点以上存在し、所定温度範囲において固定状態を維持し、前記所定温度の下限温度以下及び上限温度以下で液体状態となる商品名「エッカ」（フタバ化学製）を用いることができる。
このように、所定温度以下で液相となる着色されたゲルを用い感温インジケータは、レタス、じゃがいも、豆腐、炭酸飲料（ビール）等、凍結すると品質が劣化する商品、製品に好適に用いることができる。
【００１７】
また、前記保持部材がケースの内部に設けられ、前記カプセル及び吸収部材がケース内に収容されると共に、前記基体及びカバーは先端部がケースの外に配された状態でケース内に収容され、前記ケースの外に配された基体及びカバーを引き、基体及びカバーをケース外に取出すことによって、前記カプセルが破壊されることが望ましい。
このように、基体及びカバーの大部分はケース内に収容されているため、基体及びカバーの大部分は、使用するまで人の手、指の接触を防止でき、管理を容易になすことができる。しかも、ケースの外に配された基体及びカバーを引き、基体及びカバーをケース外に取出すことによって、前記カプセルが破壊されるため、感温インジケータを容易に動作状態になすことができる。
【００１８】
また、前記吸収部材の下面側に凹部が形成され、前記凹部と基体との間にカプセルが収容されることが望ましい。
このように、カプセルが吸収部材に形成された凹部に収容されているため、カプセルを確実、かつ容易に破壊することができる。
【００１９】
更に、前記基体の上面に、カプセルが収容される凹部が形成され、前記凹部の上方を吸収部材で覆うことが望ましい。カプセルが基体上面に形成された凹部に収容されているため、カプセルを確実、かつ容易に破壊することができる。
また、前記吸収部材に表示ラベルが一体的に形成されていることが望ましい。更に、前記カバーに表示ラベルが一体的に形成されていることが望ましい。
【発明の効果】
【００２０】
本発明にかかる感温インジケータによれば、感温インジケータ自体の温度の温度管理を容易になすことができると共に、感温インジケータを動作させる際、指の温度の影響を受けることのない感温インジケータを得ることができる。また、前記基体、カバーを前記カプセル破壊手段の隙間を介して引抜くことにより、前記カプセルを破壊するため、より確実に、より均一にカプセルを破壊することができる。
【発明を実施するための最良の形態】
【００２１】
以下に、本発明にかかる一実施形態について、図１に基づいて説明する。なお、図１は本発明の一実施形態にかかる感温インジケータを示す分解斜視図である。
【００２２】
図１に示すように、この感温インジケータ１は、基体２と、この基体２上に載置された感熱材が充填されたカプセル３と、前記カプセル３の上部に載置された吸収部材４と、前記吸収部材４中央部４ｂが露出する窓５ａが形成された表示ラベル５と、前記表示ラベル５の上方を覆うカバー６Ａとを備えている。
【００２３】
また、基体２の裏面には、製品、商品に取付けるための粘着層が形成されており、その粘着層を覆う剥離紙９が設けられている。したがって、使用する際、この剥離紙９を剥がすことにより、感温インジケータ１は製品、商品に取付けることができる。
更に、基体２の剥離紙９の下方を覆うカバー６Ｂを備えている。図面上、カバー６Ａ，６Ｂの間に、基体２、表示ラベル５等を挟持するように設けた場合を示したが、カバー６Ａ，６Ｂはこれに限らず、一つの袋状のカバーに形成し、その内部に基体２、表示ラベル５等を収納しても良い。
また、カバー６Ａは、透明な部材で、例えば透明な合成樹脂材で構成するのが好ましいが、不透明部材で構成する場合には、少なくとも窓を形成し、吸収部材を視認できるようになす必要がある。
【００２４】
前記カプセル３内に充填される感熱材は、例えば、油溶性色素、顔料又は染料を直鎖炭化水素または直鎖炭化水素の組成からなる固溶体に混合したもの、いわゆる着色ワックスを用いることができる。また、感熱材としては、水に溶解せず、所定温度にて溶融、変色する化学物質であっても良い。また、所定温度以下で液相となる着色されたゲル（アドバンスト・ソフトマテリアル社製：商品名スライドリングゲル）を用いることができる。更に融点（凝固点）が２点以上存在し、所定温度範囲において固定状態を維持し、前記所定温度の下限温度以下及び上限温度以下で液体状態となる商品名「エッカ」（フタバ化学製）を用いることができる。
このように、所定温度以下で液相となる着色されたゲルを用い感温インジケータは、レタス、じゃがいも、豆腐、炭酸飲料（ビール）等、凍結すると品質が劣化する商品、製品に好適に用いることができる。
尚、以下の説明においては、前記した着色ワックスを例に説明する。
【００２５】
また、吸収部材４は感熱材を吸収できるものであればよく、従来から用いられている、ろ紙、多孔質体（フィルム、スポンジ等）、シリカゲル等を用いることができる。
この吸収部材４は平面視上円形に形成され、その中央部４ｂは上方に凸状に形成されると共に、その外周部４ａは平坦面を有するリング状に形成されている。
即ち、この吸収部材４の中央部４ｂの下面側には、前記カプセル３を収容する凹部が形成される。そして、この吸収部材４を基体２上に載置した際、前記吸収部材４の中央部４ｂの下面側凹部は、吸収部材４を基体２上に載置することによって吸収部材４の外周部４ａよって閉ざされ、カプセル３の移動が規制される。
【００２６】
また、前記表示ラベル５は紙からなり、前記表示ラベル５の中央部には窓５ａが形成され、吸収部材４の中央部４ｂ（凸状部）が前記窓５ａに嵌合するように形成されている。またこの窓５ａの外周縁部５ｂによって、前記吸収部材４の外周部４ａを保持するように構成されている。
尚、この表示ラベル５の上面には、中央部分（前記吸収部材４）が着色（発色）している場合には、所定温度以上の環境下に置かれたことを示す注意書き等が記載されている。
【００２７】
更に、前記カバー６Ａには、上面側に突出すると共に下面側に凹部６ａが形成されている。この凹部６ａ内に、前記吸収部材４、表示ラベルの窓５ａ及び外周縁部５ｂが収容される。前記カバー６は、吸収部材４の着色（発色）状態を上方から視認できるようになすため、透明な合成樹脂材で形成されている。尚、不透明部材で形成されている場合には、前記凹部を切り欠き、窓として形成し、吸収部材４を視認できるようになすのが好ましい。
また、前記カバー６Ａは、指で押圧した際、カプセル３にその熱が伝わり難くするため、断熱部材で形成されている。
【００２８】
そして更に、積層された、前記基体２、表示ラベル５、カバー６Ａ，６Ｂ、剥離紙９の先端部を保持する保持部材７と、前記基体２、カバー６の後端部を保持する保持部材８とを備えている。この保持部材７，８は、前記基体２、カプセル３、吸収部材４、表示ラベル５、カバー６Ａ，６Ｂを積層した後、先端部を折り曲げることにより保持するように構成されている。即ち、前記基体２、カプセル３、吸収部材４、表示ラベル５、カバー６Ａ，６Ｂ、剥離紙９は保持部材７，８によって形成された隙間に挿通、保持されている。
そして、基体２、表示ラベル５、カバー６Ａ，６Ｂ、剥離紙９の先端部を把持し、力を作用させることにより、この保持部材７，８から引抜くことができるように構成されている。
【００２９】
尚、前記保持部材７，８は必ずしも両方備える必要はなく、カプセル３が引抜きによって通過する側の保持部材のみ設けられていれば良い。即ち、保持部材７側から引抜く場合には、少なくとも保持部材７が設けられていれば良い。
また、前記基体２と表示ラベル５との間に、また表示ラベル５とカバー６Ａとの間に接着層を形成し、前記基体２、表示ラベル５、カバー６Ａを一体化しても良い。
また、吸収部材４の外縁部４ａを接着剤により基体２に固定しても良い。このように、吸収部材４の外縁部４ａを固定すると、カプセル３が押し潰した際、カプセル３が吸収部材４の外に移動するのを防止できる。
更に、吸収部材４の中央部４ｂの下面側に、前記カプセル３を収容する凹部を形成した場合を説明したが、基体２の上面に凹部を形成し、この凹部内にカプセル３を収納しても良い。この場合、吸収部材４は平板状に形成し、前記基体２の凹部を塞ぐように形成すれば良い。
【００３０】
このように構成された感温インジケータは、着色ワックスはカプセル３によって覆われているため、所定の温度以上の環境下に晒されても、着色ワックスの蒸発は抑制され、その劣化が抑制される。
【００３１】
そして、この感温インジケータを使用（セット）する際、図２に矢印で示すように、基体２、吸収部材４、表示ラベル５、カバー６Ａ，６Ｂ、剥離紙９を引抜く。このとき、カプセル３が保持部材７を通過する際、カプセル３は破壊され、使用状態になすことができる。即ち、基体２、吸収部材４、表示ラベル５等を保持部材から引抜く（引き出す）ことにより、カプセル３は破壊され、使用状態になされる。その後、カバー６Ａ，６Ｂと剥離紙９を剥離し、製品、商品に貼り付ける。
【００３２】
尚、上記実施形態にあっては、基体２、吸収部材４、表示ラベル５、カバー６Ａ，６Ｂ、剥離紙９を引抜くことにより使用状態になしたが、少なくとも、基体２、カプセル３、吸収部材４を引抜くように構成されていれば良い。このように引抜く（引き出す）ことによって、カバー６Ｂ，剥離紙９を引抜きと同時に、取外されるようになすことは、容易に使用状態になすことができるため、好ましい。特に、カバー６Ａ，６Ｂが袋状に形成されている場合には、基体２、カプセル３、吸収部材４、表示ラベル５、剥離紙９を引抜くように構成しても良い。また、カバー６Ａ，６Ｂを残して、基体２、カプセル３、吸収部材４、表示ラベル５を引抜くように構成した場合には、表示ラベル５を合成樹脂で形成すると共に、窓５ａを透明なレンズ部として形成するのが良い。
【００３３】
このようにして使用状態になされるため、指の熱の着色ワックスへの伝熱は抑制される。また、カプセル３が吸収部材４の凹部４ｂ内に位置しているため、カプセル３を逃がすことなく確実に破壊することができる。
【００３４】
そして、この感温インジケータ１が貼り付けられた製品が所定温度以上の環境下に晒されると、着色ワックスが溶解し、吸収部材４に吸収される。吸収部材４の着色状態（発色状態）は、カバー６Ａの上方から、透明なカバー６Ａを通して視認することができる。これにより、当該製品が一度でも所定温度以上の環境に晒されたか否かを判断することができる。
【００３５】
次に、本発明にかかる第二の実施形態について、図２に基づいて説明する。尚、図２は、感温インジケータの使用前の状態を示す断面図である。
この実施形態にあっては、図２に示すように、基体２、カプセル３、吸収部材４、表示ラベル５、カバー６Ａ、剥離紙９、保持部材７，８がケース１０の内部に収容されている点に特徴がある。即ち、前記保持部材７，８がケース１０の内部に設けられ、前記カプセル３及び吸収部材４がケース１０内に収容されると共に、前記基体２、表示ラベル５、カバー６は先端部がケース１０の外に配された状態でケース１０内に収容されている。
そして、前記ケース１０の外に配された基体２、カバー６Ａを引き、基体２、カバー６Ａをケース１０外に取出すことによって、前記カプセル３が破壊されるように構成されている。
尚、図２において、カバー６Ｂを省略した場合を示したが、カバー６Ｂを形成しても良い。また、カバー６Ａ，６Ｂを残して、基体２、カプセル３、吸収部材４、表示ラベル５を引抜くように構成した場合には、表示ラベル５を合成樹脂で形成すると共に、窓５ａを透明なレンズ部として形成するのが良い。但し、表示ラベル５を紙材で形成した場合には、窓５ａを形成する必要がある。
【００３６】
このように、基体２及びカバー６Ａの大部分はケース内に収容されているため、基体２及びカバー６Ａの大部分、カプセル３は、使用するまで人の手、指の接触を防止でき、管理を容易になすことができる。しかも、ケースの外に配された基体２及びカバー６Ａを引き、基体２及びカバー６Ａをケース１０外に取出すことによって、前記カプセル３が破壊されるため、感温インジケータ１を容易に動作状態になすことができる。
【００３７】
尚、上記実施形態にあっては、油溶性色素、顔料又は染料を直鎖炭化水素または直鎖炭化水素の組成からなる固溶体に混合したもの、いわゆる着色ワックスがカプセルに充填された場合について説明したが、感熱材としては、所定温度以上で液相となる前記着色ワックス以外に、所定温度以下で液相となる着色されたゲル（アドバンスト・ソフトマテリアル社製：商品名スライドリングゲル）を用いることができる。
このように、所定温度以下で液相となる着色されたゲルを用い感温インジケータは、レタス、じゃがいも、豆腐、炭酸飲料（ビール）等、凍結すると品質が劣化する商品、製品に好適に用いることができる。
【００３８】
また、上記実施形態にあっては、表示ラベルと吸収部材とを別体のものとして説明したが、表示ラベルと吸収部材が一体になったものを、基体の接着、貼着するようになしても良い。更に、上記実施形態にあっては、吸収部材と表示ラベルを別体のものとして説明したが、前記カバーと表示ラベルを一体的に形成し、一つの部材にしても良い。
また上記実施形態にあっては、基体の上にカプセルを載置した場合について説明したが、基体の上に吸収部材を載置し、その上にカプセルを載置ように構成しても良い。
更にまた、吸収部材として平面視上円形状のものを用いて説明したが、細長い矩形形状等に形成し、着色する面積で経時変化（経過時間）を表示するようになしても良い。
【産業上の利用可能性】
【００３９】
本発明にかかる感温インジケータは、生鮮食品、冷凍食品、切花、医薬品、半導体材料等の温度管理を必要とする製品、商品の生産、流通、保管の分野において好適に用いられる。
【図面の簡単な説明】
【００４０】
【図１】図１は、本発明の一実施形態にかかる感温インジケータを示す分解斜視図である。
【図２】図２は、本発明の第二の実施形態にかかる感温インジケータの使用前の状態を示す断面図である。
【図３】図３は、従来の感温インジケータを示す分解斜視図である。
【図４】図４は、図３に示した感温インジケータの使用前の状態を示す断面図である。
【符号の説明】
【００４１】
１      感温インジケータ
２      基体
３      カプセル
４      吸収部材
４ａ    外周部
４ｂ    中央部
５      表示ラベル
５ａ    窓
６Ａ    カバー
６Ｂ    カバー
７      保持部材
８      保持部材
９      剥離紙
１０    ケース
【図１】
2008170202.tif 000003
【図２】
2008170202.tif 000004
【図３】
2008170202.tif 000005
【図４】
2008170202.tif 000006